(57)【要約】【課題】回収対象物に対して直接的な接触を防いで封止可能とするとともに、回収対象物に起因するウイルス感染を低減可能とする。【解決手段】シート状の吸水層１１と、防水性を有して吸水層の表面側を覆う封止層１２と、透水性を有して吸水層の裏面側を覆う対物層１３とを有し、吸水層および封止層を貫通する貫通孔１４が複数設けられるとともに、貫通孔内部には吸水層を覆うように封止内層１２ａが延在している。【選択図】図１
2016140858.tif 000002
【特許請求の範囲】
【請求項１】
シート状の吸水層と、防水性を有して前記吸水層の表面側を覆う封止層と、透水性を有して前記吸水層の裏面側を覆う対物層と、を有し、
前記吸水層および前記封止層を貫通する貫通孔が複数設けられ、前記貫通孔内部には前記吸水層を覆うように前記封止層が延在していることを特徴とする回収シート。
【請求項２】
前記対物層裏面には凹凸が形成されていることを特徴とする請求項１記載の回収シート。
【請求項３】
前記貫通孔の軸線が、シート法線方向に設けられるかまたはシート法線方向から傾いて設けられることを特徴とする請求項１または２記載の回収シート。
【請求項４】
前記封止層の表面には、前記貫通孔を閉塞するとともに、所定の液体と接触した際に溶解可能な溶解層が設けられることを特徴とする請求項１から３のいずれか記載の回収シート。
【請求項５】
前記封止層の表面には、殺菌・消毒する成分を有する部分が設けられることを特徴とする請求項１から４のいずれか記載の回収シート。
【請求項６】
最表面に回収対象物と接触を防止する接触防止層が設けられることを特徴とする請求項１から５のいずれか記載の回収シート。
【請求項７】
請求項１から６のいずれか記載の回収シートを用いた回収方法であって、
固体、液体またはその混合物とされる回収対象物に前記回収シートを被せて封止する工程と、
前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することを特徴とする回収方法。
【請求項８】
請求項４記載の回収シートを用いた回収方法であって、
固体、液体またはその混合物とされる回収対象物に前記回収シートを被せて封止する工程と、
前記回収シートに、所定の成分を含有する液を注ぐ工程と、
前記溶解層を溶解して前記貫通孔の閉塞を解除する工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することを特徴とする回収方法。
【請求項９】
請求項６記載の回収シートを用いた回収方法であって、
固体、液体またはその混合物とされる回収対象物に前記回収シートを被せて封止する工程と、
前記接触防止層を剥離した前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することを特徴とする回収方法。
【請求項１０】
前記吸収工程後に、残余である固体成分を回収する固体回収工程を有することを特徴とする請求項７から９のいずれか記載の回収方法。
【発明の詳細な説明】
【技術分野】
【０００１】
本発明は固液混合物等を回収する回収シート、回収方法に関し、特に固形物もしくは液体および固液混合物の回収シート、回収方法に用いて好適な技術に関する。
【背景技術】
【０００２】
医学の進歩により優れた医薬品や医療技術が開発されている。また、多くの啓蒙により人々は多種多様な疾患に対する自己防衛の意識が生まれ、特に衛生面に関する商品購入量の増加が目覚しい。しかし、食生活・生活環境等の様々な要因により、がんや自己免疫疾患、感染症、循環器系疾患等を完全に予防することは困難である。インフルエンザなどの感染症に関しては人から人に感染する為、感染者が容易に増加し、多くの被害を生む。近年、予防困難な感染症の一つである感染性胃腸炎の影響が問題になっている。代表的なウイルスにノロウイルス、ロタウイルスなどがあり、抵抗性が低い乳幼児や高齢者に重篤な被害をもたらしている。このような感染性胃腸炎による被害を防ぐため、特に人から人への感染を防ぐ手段が求められている。
【０００３】
感染症のリスクを下げる最良の手段はウイルス等の感染源との接触を避けることである。感染性胃腸炎に感染した場合、ウイルスを大量に含んだ吐瀉物が発生し、人から人への感染を拡大させている。また、吐瀉物の処理の際、吐瀉物に接触する為、間接的に更にウイルスを広めてしまう。この吐瀉物処理の問題を解決するには、吐瀉物との接触を低減させることが重要である。
【０００４】
通常、吐瀉物などの処理の際にはガウン、マスク、手袋など自己防衛対策を行った後、紙などの吸収体と殺菌薬を併用し、処理を行うことが推奨されている。市販品においても上記処理品を一つのキットとしてまとめたものもある。また、吐瀉物の処理剤として迅速に液体の吸収・固化を行い、合わせて殺菌・防臭を可能とするものもある。このような技術としては、特許文献１のような技術がある。さらに、吐瀉物に薬液を噴射し、吐瀉物全体を覆うように固化させ回収する。このような技術としては、特許文献２のような技術がある。
【先行技術文献】
【特許文献】
【０００５】
【特許文献１】特開平６−１５４７９４号公報
【特許文献２】特開２００５−１３９４８号公報
【発明の概要】
【発明が解決しようとする課題】
【０００６】
しかしながら、ガウン、マスク、手袋など自己防衛を行い、処理を行っても吐瀉物等の回収対象物と間接的に接触する為、自身を完全にウイルスから防衛することは難しい。また、手袋に付着したウイルスにより、間接的にウイルスを広めてしまう可能性もある。
【０００７】
このため、接触危険性のある回収対象物に対しては、まず、飛散防止を図ることが必要である。そこで、まずは床面や地面にまき散らされた回収対象物に対して回収シートを被せて封止することになる。
しかし、床面や地面にまき散らされた回収対象物に対して回収シートを被せて封止することができたとしても、この状態では、消毒液を回収対象物に対して充分注ぎかけることができない。また、回収シートを被せる前に消毒液を注ぎかけると回収対象物の飛散可能性が増大するという問題がある。さらに、充分な消毒をおこなうために回収シートをめくり上げたりすると、回収対象物と接触する可能性が増大してしまうという問題があった。
【０００８】
また、特許文献１のように吐瀉物等の回収対象物を固化する粉末を使用した場合でも、液体を固化させるが回収の際にウイルスと接触する可能性や飛散させてしまう可能性がある。加えて、地面に付着したウイルスを殺菌・回収は困難である。
さらに、特許文献２は吐瀉物等の回収対象物を覆いながら固化させる為、処理後のウイルスとの接触が最小限になるため、感染リスクは低減する。しかし、スプレー等での噴霧処理時に、回収対象物が飛散する可能性がある上、床面や地面に付着したウイルスを殺菌できず、固化した吐瀉物の回収後処理において、ウイルスと接触する可能性が否定できない。
【０００９】
本発明は、上記の事情に鑑みてなされたもので、以下の目的を達成しようとするものである。
１．    吐瀉物等の固液混合物とされる回収対象物を回収するシートであって、回収対象物を封止して、回収対象物に起因するウイルス感染を低減可能とすること。
２．    吐瀉物等の回収対象物に対する直接的な接触を防止すること。
３．    回収シートを被せて封止した状態で回収対象物に消毒液（殺菌剤）を添加することを可能とすること。
４．    地面・床面等にまき散らされた吐瀉物等の回収対象物を安全に回収可能とすること。
【課題を解決するための手段】
【００１０】
本願発明者は、回収シートとして、吐瀉物等の回収対象物に対して直接的な接触を防いで封止可能とするとともに、この回収シートにより封止した状態で消毒液（殺菌薬）を添加可能とし、さらに、地面または床面のウイルスを殺菌可能とするとともに同時に吐瀉物と殺菌薬を回収可能とする機構を有するものとした。
【００１１】
本発明の回収シートは、シート状の吸水層と、防水性を有して前記吸水層の表面側を覆う封止層と、透水性を有して前記吸水層の裏面側を覆う対物層とを有し、
前記吸水層および前記封止層を貫通する貫通孔が複数設けられ、前記貫通孔内部には前記吸水層を覆うように前記封止層が延在していることにより上記課題を解決した。
本発明の回収シートは、前記対物層裏面には凹凸が形成されていることが好ましい。
本発明の回収シートは、前記貫通孔の軸線が、シート法線方向に設けられるかまたはシート法線方向から傾いて設けられることができる。
本発明の回収シートが、前記封止層の表面には、前記貫通孔を閉塞するとともに、所定の液体と接触した際に溶解可能な溶解層が設けられることが望ましい。
本発明の前記封止層の表面には、殺菌・消毒する成分を有する部分が設けられることができる。
本発明の回収シートには、最表面に回収対象物と接触を防止する接触防止層が設けられることができる。
本発明の回収方法は、上記のいずれか記載の回収シートを用いた回収方法であって、
固体、液体またはその混合物とされる回収対象物に前記回収シートを被せて封止する工程と、
前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することがある。
本発明の回収方法は、前記溶解層が設けられた上記の回収シートを用いた回収方法であって、
固体、液体またはその混合物とされる回収対象物に前記回収シートを被せて封止する工程と、
前記回収シートに、所定の成分を含有する液を注ぐ工程と、
前記溶解層を溶解して前記貫通孔の閉塞を解除する工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することができる。
本発明の回収方法は、前記接触防止層が設けられた上記の回収シートを用いた回収方法であって、
固体、液体またはその混合物とされる回収対象物に前記回収シートを被せて封止する工程と、
前記接触防止層を剥離した前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することができる。
本発明は、上記のいずれか記載の回収方法であって前記吸収工程後に、残余である固体成分を回収する固体回収工程を有することができる。
【００１２】
本発明の回収シートは、シート状の吸水層と、防水性を有して前記吸水層の表面側を覆う封止層と、透水性を有して前記吸水層の裏面側を覆う対物層とを有し、
前記吸水層および前記封止層を貫通する貫通孔が複数設けられる、前記貫通孔内部には前記吸水層を覆うように前記封止層が延在していることにより、裏面側に回収対象物が当接するようにシートを回収対象物に被覆して封止し、シート表面側から消毒液が添加され、この消毒液が貫通孔を通ってシート裏面側に移動することで回収対象物と接触し消毒可能となるとともに、回収対象物の液体成分および消毒された液体成分が対物層を浸透して吸収層によって吸収することができる。
なお、本発明の回収シートでは、前記吸収層と前記対物層とが一体として形成されることも可能である。
【００１３】
本発明の回収シートは、前記対物層裏面には凹凸が形成されていることにより、回収対象物と接触した際に、接触面積を増大することで液体成分の吸収を容易にするとともに、固体成分の把持性を向上することで固体成分の回収を容易にし、回収対象物のまき散らされた床面から、回収対象物の除去を容易とすることができる。
【００１４】
本発明の回収シートは、前記貫通孔の軸線が、シート法線方向に設けられるかまたはシート法線方向から傾いて設けられることにより、シート法線方向に設けられることで、シート表面側から消毒液を注いだ際に貫通孔を介した消毒液の移動を容易にすることができる。また、シート法線方向から傾いて設けられることで、シート裏面側に回収対象物が当接するようにシートを回収対象物に被覆して封止した際に、回収対象物が、貫通孔を介してシート表面側に移動してしまうことを防止できる。
【００１５】
本発明の回収シートが、前記封止層の表面には、前記貫通孔を閉塞するとともに、所定の液体と接触した際に溶解可能な溶解層が設けられることにより、シート裏面側に回収対象物が当接するようにシートを回収対象物に被覆して封止した際に、回収対象物の貫通孔における開放状態を防ぎ、貫通孔を介してシート表面側に移動してしまうことを防止でき、所定の溶液を注ぎかけた後に閉塞が解除され、シート表面側から消毒液を添加することができる。所定の溶液を注ぐまで溶解層は溶解しないため、貫通孔の封止を維持でき、直接接触するリスクを冒すことなく、回収対象物を回収シートによって回収することができる。
【００１６】
本発明の回収シートには、最表面に回収対象物と接触を防止する接触防止層が設けられることにより、貫通孔を介して回収対象物のシート表面側への移動が発生した場合でも、直接接触するリスクを冒すことなく、回収対象物を回収シートによって回収することができる。
【００１７】
本発明の回収シートは、前記封止層の表面には、殺菌・消毒する成分を有する部分が設けられることができ、特に、前記封止層の表面に殺菌・消毒する成分が固着され、水のみもしくは溶解層を溶解する所定の溶液を回収シート表面側から注ぐことで、回収シート表側から消毒液を添加した場合と同等の作用効果を呈することができる。これにより、消毒液の準備をする作業を省略でき、一連の作業を短時間に効率的におこなうことができる。殺菌薬の固着に関しては、封止層に一種以上の殺菌薬を乾燥固着させたもの、高分子ミセル化合物などキャリアに内包され固着させたものを利用できる。
【００１８】
さらにまた、本発明の回収シートは、前記封止層の表面には、殺菌・消毒する成分を有する部分が設けられることができ、特に、溶解層に殺菌・消毒する成分が含有され、水のみもしくは溶解層を溶解する所定の溶液を回収シート表面側から注ぐことで、回収シート表側から消毒液を添加した場合と同等の作用効果を呈することができる。これにより、消毒液の準備をする作業を省略でき、一連の作業を短時間に効率的におこなうことができる。殺菌薬の含有に関しては、溶解層の材質内に殺菌薬や殺菌薬内包キャリアを含み、溶解層の溶解とともに溶液に懸濁され、殺菌薬として利用することも可能である。
【００１９】
また、殺菌・消毒する成分を有する部分は、封止層の表面に固着させること、溶解層に含有部分を設けること、およびこれらを同時に設けること、さらに、貫通孔内部の封止層に設けることができる。
さらに、殺菌・消毒成分を有する封止層および溶解層に関しては、固着された殺菌薬と溶液に含まれた殺菌薬を併用することもできる。
【００２０】
本発明の回収方法は、上記のいずれか記載の回収シートを用いた回収方法であって、
固体、液体またはその混合物とされる回収対象物に前記回収シートを被せて封止する工程と、
前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することにより、裏面側に回収対象物が当接するようにシートを回収対象物に被覆して封止し、シート表面側から消毒液を注いで、この消毒液が貫通孔を通ってシート裏面側に移動することで回収対象物と接触し消毒可能となるとともに、回収対象物の液体成分および消毒された液体成分が対物層を浸透して吸収層によって吸収することができる。
【００２１】
本発明の回収方法は、前記溶解層が設けられた上記の回収シートを用いた回収方法であって、
固体、液体またはその混合物とされる回収対象物に前記回収シートを被せて封止する工程と、
前記回収シートに、所定の成分を含有する液を注ぐ工程と、
前記溶解層を溶解して前記貫通孔の閉塞を解除する工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することにより、裏面側に回収対象物が当接するようにシートを回収対象物に被覆して封止し、シート表面側から消毒液が添加され、この消毒液が貫通孔を通ってシート裏面側に移動することで回収対象物と接触し消毒可能となるとともに、回収対象物の液体成分および消毒された液体成分が対物層を浸透して吸収層によって吸収することができ、さらに、シート裏面側に回収対象物が当接するようにシートを回収対象物に被覆して封止した際に、回収対象物が、貫通孔を介してシート表面側に移動してしまうことを防止でき、所定の溶液を注ぎかけた後に、シート表面側から消毒液を注いだ際に貫通孔を介した溶液（消毒液）の移動を容易にすることが可能となる。
【００２２】
本発明の回収方法は、前記接触防止層が設けられた上記の回収シートを用いた回収方法であって、
固体、液体またはその混合物とされる回収対象物に前記回収シートを被せて封止する工程と、
前記接触防止層を剥離した前記回収シートに、所定の成分を含有する液を注ぐ工程と、
前記液が前記貫通孔を通って前記回収シート裏面側に位置する回収対象物に到達する工程と、
前記液および回収対象物の液体成分が前記対物層を浸透して前記吸水層に吸収される吸収工程と、
を有することにより、裏面側に回収対象物が当接するようにシートを回収対象物に被覆して封止し、シート表面側から消毒液が添加され、この消毒液が貫通孔を通ってシート裏面側に移動することで回収対象物と接触し消毒可能となるとともに、回収対象物の液体成分および消毒された液体成分が対物層を浸透して吸収層によって吸収することができ、さらに、貫通孔を介して回収対象物のシート表面側への移動が発生した場合でも、直接接触するリスクを冒すことなく、回収対象物を回収シートによって回収することができる。
【００２３】
本発明の回収方法は、上記のいずれか記載の回収方法であって前記吸収工程後に、残余である固体成分を回収する固体回収工程を有することにより、液体成分を吸水層に吸収させた後に、固体成分のみを回収すればよいため、回収対象物の飛散可能性を低減して、接触リスクを抑えた状態でバイオハザードであっても回収処理をおこなうことが可能となる。
【００２４】
本発明においては、上記の構成を有するとともに、一層以上の平面形状で、この平面に対する貫通した空間（貫通孔）を備えた構造から構成される回収シートで、最下面側を回収対象物と接触させて回収対象物の液体成分を回収可能で、貫通孔に表面から消毒液等の溶液を通過させ、回収対象物表面と回収対象物のある床面の消毒・洗浄をおこない、消毒液および回収対象物の液体成分を最下面側から吸収させ、回収対象物の固体成分を回収シートで包み込むように回収することができる。
【００２５】
本発明においては、吸水体を含む層（吸水層）と疎水性の層（封止層）とを有し、かつ、両方の層を貫通する空間（貫通孔）を備え、吸水体の層の片面を回収対象物と接触させ、対象物の液体成分を吸収して回収した後、貫通した空間に表面から消毒液等の溶液を通すことにより、回収対象物と溶液を回収することができる。
【００２６】
本発明においては、吸水体を含む層とは、１種以上の物質からなる単層、１種以上の物質からなる単層を積層させた多層、また、異なる性質を持つ物質による１種以上の単層を積層させた多層として形成されることができる。
【００２７】
本発明においては、吸水体は、1種以上の物質により形成された繊維状の不織構造、１種以上の物質により形成された繊維状の不織構造に吸水性化合物が保持されたもの、吸水性化合物で形成されたもの、１種以上の物質により形成された繊維状の不織構造と１種以上の物質により形成された繊維状の不織構造に吸水性化合物が保持されたものを重ねた多層構造、１種以上の物質により形成された繊維状の不織構造と吸水性化合物で形成されたシート、とされることができる。
【００２８】
本発明においては、吸水体を含む層の回収対象物と接触する面（対物層裏面）が、繊維状物質による不織構造とされ、表面に凹凸パターンが形成されたことができる。吸水体を含む層としては、吸水層と対物層とを含むことや、吸水層と対物層とが一体とされた構成とすることができる。
【００２９】
本発明においては、吸水体を含む層の回収対象物と接触する面に形成された凹凸パターンが、回収対象物と接触する面にエンボス加工を施すことで形成され、回収対象物と接触する接触面積が拡大されているとともに、さらに、回収対象物の固体成分の回収効率を向上可能とされていることができる。
【００３０】
本発明においては、貫通する空間の貫通軸線が、吸水体を含む層の主面に対して直交するように設けられていることができる。
【００３１】
本発明においては、貫通する空間の貫通軸線が、吸水体を含む層の主面と直交する方向に対して傾斜するように設けられていることができる。具体的には、吸水体を含む層を構成する各層や、疎水性の層などに形成された貫通孔の軸線がずれるように配置されることができる。
【００３２】
本発明においては、貫通する空間内部の表面に吸水体を含む層の断面が露出しないように、最上面側の疎水性の層によって貫通孔内の吸水体を含む層が被覆されていることができ、これにより、シート最上面から消毒液等の溶液を貫通する空間に通過させた際、吸水体を含む層に対して溶液を遮断して、溶液が貫通する空間の内部で吸水体に吸収されてしまうことを防止できる。
【００３３】
さらに、本発明においては、回収シート縁部において吸水層の断面が露出しないように、最上面側の封止層によって被覆されていることができる。同時に、貫通孔はシート縁部近傍には配置しないことが好ましい。この場合シート縁部の幅寸法は、貫通孔の径寸法の０．５〜１０倍の範囲とすることができる。
また、貫通孔を設けない領域を、固体成分回収時に巻き込む作業用領域とすることもできる。
【００３４】
本発明においては、回収シートに注ぎかける消毒液等の溶液として、吸水体を含む層（吸水層）と疎水性の層（封止層）とを溶解させない溶媒で、回収対象物を殺菌・消毒・分解させる成分を含むものとされることができる。
【００３５】
本発明においては、溶液において、回収対象物を殺菌・消毒・分解させる成分として、アルコール、次亜塩素酸ナトリウム、塩化ベンザルコニウム、アルキルリン酸ベンザルコニウム等のベンザルコニウム塩、塩化ベンゼトニウム、トリクロサン、イソプロピルメチルフェノール、塩化セチルピリジニウム、レゾルシン、トリクロロカルバニド、塩化クロルヘキシジン、グルコン酸クロルヘキシジン、過酸化水素、ポピヨンヨード、ヨードチンキ、のいずれか１以上を含み、ウイルス、細菌、細胞の機能を不活化させること可能なものが選択される。
【００３６】
本発明においては、疎水性の層（封止層）が、上記の水溶液にて溶解しない物質で構成され、ポリメチルメタクリル酸メチル（ＰＭＭＡ）、ポリカーボネート、ポリプロピレン、ポリエチレン、ポリエステル、ナイロン、ポリ酢酸ビニル、ポリウレタン、ポリメチルペンテン、ポリスチレン、ポリテトラフルオロエチレン、ＡＢＳ樹脂、ポリジメチルシロキサン、セルロース、ニトロセルロース、シリコン樹脂、および、これらの高分子化合物を含む共重合体あるいは複合体、石英ガラス、パイレックス（コーニング社の登録商標)、ソーダガラス、ホウ酸ガラス、ホウケイ酸ガラス、セラミックス、およびその複合体のいずれか１以上によって構成されることができる。
【００３７】
本発明において、回収対象物が、液体または固体または固液混合物の状態からなり、脂質、炭化水素、タンパク質、リン脂質、アミノ酸、核酸、糖質、多糖類、抗体、抗原、代謝産物、ホルモン、ウイルス、微生物、細胞、末梢血、血清、血漿、腹水、尿、脳脊髄液、痰、唾液、骨髄、滑液、眼房水、羊水、耳垢、母乳、気管支肺胞洗浄液、精液、前立腺液、カウパー液もしくは射精前液、汗、糞便、毛髪、涙、嚢胞液、胸水もしくは腹水、囲心房液、リンパ液、糜粥、乳糜、胆汁、間質液、月経分泌物、膿、皮脂、嘔吐物、膣分泌物、粘膜からの分泌物、水便、膵液、鼻腔からの洗浄液、気管支肺吸引物、胚盤胞腔液、臍帯血、などに加え、無機物質、低分子化合物、高分子化合物、金属化合物、鉱物、粉体、ゲル状体、のいずれか１以上を含むことができる。
【発明の効果】
【００３８】
本発明によれば、吸水機能を有し、かつ、性能平面に対して貫通したシートを回収対象物に接触させ、回収対象物の液体成分を吸収させ、貫通孔を介して溶液を通過させて回収対象物に溶液（消毒液）を接触させて回収対象物とそのまき散らされた床面とを殺菌・消毒・洗浄可能とすることができるため、回収シートで回収対象物を被覆した状態で、吸収・回収・洗浄をおこなうことができる。
本発明によれば、回収対象物が感染性の高いウイルスなどを含んでいる危険性がある場合でも、この回収シートのみで封止・回収・洗浄をおこなうことが可能となり、さらに消毒液等の溶液を用いることで殺菌・消毒・洗浄を可能として、ウイルスとの接触頻度を低減して、感染リスクを抑制して処理をおこなうことができるという効果を奏することが可能となる。
【図面の簡単な説明】
【００３９】
【図１】本発明に係る回収シートの第１実施形態を示す断面図である。
【図２】本発明に係る回収シートの第１実施形態を示す分解斜視図である。
【図３】本発明に係る回収方法の第１実施形態を示すフローチャートである。
【図４】本発明に係る回収方法の第１実施形態を示す断面図である。
【図５】本発明に係る回収シートの第１実施形態の他の例を示す平面図である。
【図６】本発明に係る回収シートの第１実施形態の他の例を示す平面図である。
【図７】本発明に係る回収シートの第２実施形態を示す断面図である。
【図８】本発明に係る回収方法の第２実施形態を示すフローチャートである。
【図９】本発明に係る回収シートの第３実施形態を示す断面図である。
【図１０】本発明に係る回収シートの第３実施形態を示す平面図である。
【図１１】本発明に係る回収方法の第３実施形態を示すフローチャートである。
【図１２】本発明に係る回収シートの第４実施形態を示す断面図である。
【図１３】本発明に係る回収シートの第５実施形態を示す断面図である。
【図１４】本発明に係る回収シートの第６実施形態を示す断面図である。
【図１５】本発明に係る回収シートの第６実施形態を示す拡大断面図である。
【発明を実施するための形態】
【００４０】
以下、本発明に係る回収シート、回収方法の第１実施形態を、図面に基づいて説明する。
図１は、本実施形態における回収シートを示す断面図である、図２は、本実施形態における回収シートを示す斜視図であり、図３は、本実施形態における回収方法を示すフローチャートであり、図４は、本実施形態における回収方法を示す断面図であり、図において、符号１０は、回収シートである。
【００４１】
本実施形態に係る回収シート１０は、図１，図２に示すように、シート状の吸水層１１と、防水性を有して吸水層１１の表面側を覆う封止層１２と、透水性を有して吸水層１１の裏面側を覆う対物層１３とを有している。
これら吸水層１１、封止層１２、対物層１３には、厚み方向に貫通する貫通孔１４が複数設けられるとともに、貫通孔１４内部には、吸水層１１および対物層１３の断面を覆うように封止内層（封止層）１２ａが延在している。吸水層１１の縁部外側断面にも封止外層（封止層）１２ｂが延在されており、これら封止層１２、封止内層１２ａ、封止外層１２ｂは、密閉状態を維持できるように連続して接続されている。
【００４２】
吸水層１１は、液体成分と接触することにより水分を吸収、保持し、吸収層１１内から吸収した液体成分を流出させない材質を有する。構成材としては液体成分との接触により溶解しないものであればよく、疎水性の物質であることが好ましい。また、吸収層１１を構成する際の疎水材の構造としては、繊維状の疎水性物質により形成された不織構造（不織布類似構造）、疎水性物質からなるスポンジ構造とされることができ、これらの構造材に、吸水体となる吸水性化合物が保持されたものとすることができる。
【００４３】
後述するように回収対象物に接触した際に、吸水層１１に迅速に吸水させるために、吸水層１１の構造材は、セルロース素材の繊維からなる不織構造とすることができる。
【００４４】
吸水層１１の構造材は、後述する溶液にて溶解しない物質で構成され、ポリメチルメタクリル酸メチル（ＰＭＭＡ）、ポリカーボネート、ポリプロピレン、ポリエチレン、ポリエステル、ナイロン、ポリ酢酸ビニル、ポリウレタン、ポリメチルペンテン、ポリスチレン、ポリテトラフルオロエチレン、ＡＢＳ樹脂、ポリジメチルシロキサン、セルロース、ニトロセルロース、シリコン樹脂、および、これらの高分子化合物を含む共重合体あるいは複合体、石英ガラス、パイレックス（コーニング社の登録商標)、ソーダガラス、ホウ酸ガラス、ホウケイ酸ガラス、セラミックス、およびその複合体のいずれか１以上から選択される材質を含む繊維状物質とされることができる。
【００４５】
吸水性化合物としては、対象となる溶液としてｐＨや耐溶媒性に対する許容性を有するように、ポリアクリル酸系、カルボキシメチル化およびリン酸エステルによるセルロース系、デンプン系、ポリビニルアルコール系、ポリアクリルアミド系、ポリオキシエチレン系とすることができる。吸水層１１の厚さが３〜５ｍｍとされた場合に、吸水性化合物としては、２０ｇ／ｍ２ 以上を含有することが好ましい。また、回収シート１０として積層形成する際に、接着剤を用いて、熱圧着処理により積層することがこのましい。
【００４６】
封止層１２は、後述する消毒液等の溶液や水分などの液体成分を通過・浸透させない防水性を有するフィルム状のものとされる。また、対象となる溶液としてｐＨや耐溶媒性に対する許容性を有するように、また入手の容易性、加工容易性、製造コスト性を考慮して、ポリピロピレン、ポリエチレン、ポリスチレンのいずれか１以上を含むことが好ましい。また、封止層１２の厚さは、０．５ｍｍ〜５ｍｍ程度、１ｍｍ以上程度として設定することが好ましい。
封止内層１２ａおよび封止外層１２ｂは、いずれも封止層１２と同等の厚さ、材質とすることができる。
【００４７】
封止層１２は、後述する溶液にて溶解しない物質で構成され、ポリメチルメタクリル酸メチル（ＰＭＭＡ）、ポリカーボネート、ポリプロピレン、ポリエチレン、ポリエステル、ナイロン、ポリ酢酸ビニル、ポリウレタン、ポリメチルペンテン、ポリスチレン、ポリテトラフルオロエチレン、ＡＢＳ樹脂、ポリジメチルシロキサン、セルロース、ニトロセルロース、シリコン樹脂、および、これらの高分子化合物を含む共重合体あるいは複合体、石英ガラス、パイレックス（コーニング社の登録商標)、ソーダガラス、ホウ酸ガラス、ホウケイ酸ガラス、セラミックス、およびその複合体のいずれか１以上から選択される材質によって構成されるフィルムとすることができる。
【００４８】
対物層１３は、吸水層１１の構造材と同等の物質とすることができ、吸水層１１と一体の構成とすることもできる。
後述するように回収対象物に接触した際に、吸水層１１に迅速に吸水させるために、接触面となる回収シート１０裏面に位置する対物層１３は、吸水層１１の構造材と同様に、セルロース素材の繊維からなる不織構造とすることができる。これにより、毛細管現象により吸水層１１へ液体成分を移動させて吸収させることが容易となる。
対物層１３の裏面には、図示していないが、凹凸が形成されている。この凹凸の高さは、０．５ｍｍ〜１０ｍｍ、５ｍｍ程度とされることが好ましい。
凹凸は、凹凸の高さと同程度あるいはその１０倍程度の周期的な形状を有する凹凸パターンとすることができ、この場合、エンボス加工を施すことによって形成される。
凹凸としては、また、不織構造に起毛処理を施すことで形成される。
【００４９】
貫通孔１４は、回収シート１０を厚さ方向に貫通するように設けられる。貫通孔１４の径寸法は、５ｍｍ以上、５ｍｍ〜５ｃｍの範囲とされることができ、また、シート表面に１００ｃｍ２あたり４〜６個の密度設定をおこなって等間隔に設けることができる。
【００５０】
本実施形態においては、回収シート１０は、図４に示すように、床面Fにまき散らされた回収対象物Ｇ上に載置して、回収シート１０裏面側に回収対象物Ｇが当接するように回収対象物Ｇに被覆して封止し、回収シート１０表面側から消毒液等の溶液Ｄを注いで、この消毒液Ｄが貫通孔１４を通って回収シート１０裏面側に移動することで回収対象物Ｇと接触し消毒可能となるとともに、回収対象物Ｇの液体部分および消毒された液体部分が対物層１３を浸透して吸収層１１によって吸収する。その後、回収シート１０で、残渣である固体成分を回収シート１０で包み込むようにして床面から除去し、所定の容器・場所まで移動して廃棄する。
【００５１】
回収対象物Ｇは、液体または固体または固液混合物の状態からなり、脂質、炭化水素、タンパク質、リン脂質、アミノ酸、核酸、糖質、多糖類、抗体、抗原、代謝産物、ホルモン、ウイルス、微生物、細胞、末梢血、血清、血漿、腹水、尿、脳脊髄液、痰、唾液、骨髄、滑液、眼房水、羊水、耳垢、母乳、気管支肺胞洗浄液、精液、前立腺液、カウパー液もしくは射精前液、汗、糞便、毛髪、涙、嚢胞液、胸水もしくは腹水、囲心房液、リンパ液、糜粥、乳糜、胆汁、間質液、月経分泌物、膿、皮脂、嘔吐物、膣分泌物、粘膜からの分泌物、水便、膵液、鼻腔からの洗浄液、気管支肺吸引物、胚盤胞腔液、臍帯血、などに加え、無機物質、低分子化合物、高分子化合物、金属化合物、鉱物、粉体、ゲル状体、のいずれか１以上を含むことができる。
【００５２】
タンパク質としては、血漿タンパク質、血清タンパク質、リポタンパク質、糖タンパク質、ポリペプチド、腫瘍マーカー、アポタンパク質、ウイルス抗原、自己抗体等が挙げられる。
【００５３】
血漿タンパク質、血清タンパク質としては、例えば、免疫グロブリン（ＩｇＧ、ＩｇＡ、ＩｇＭ、ＩｇＤ、ＩｇＥ）、補体成分（Ｃ３、Ｃ４、Ｃ５、Ｃ１ｑ）、ＣＲＰ（Ｃ反応性タンパク）、α１−アンチトリプシン、α１−マイクログロブリン、β２―マイクログロブリン、ハプトグロビン、トランスフェリン、セルロプラスミン、フェリチン等が挙げられる。
【００５４】
腫瘍マーカーとしては、例えば、α−フェトプロテイン（ＡＦＰ）、癌胎児性抗原（ＣＥＡ）、ＣＡ１９−９、ＣＡ１２５、ＣＡ１５−３、ＳＣＣ抗原、前立腺酸性ホスファターゼ（ＰＡＰ）、ＰＩＶＫＡ−ＩＩ、γ−セミノプロテイン、ＴＰＡ（組織ポリペプチド抗原）、エラスターゼＩ、神経特異エノラーゼ（ＮＳＥ）、免疫抑制酸性タンパク（ＩＡＰ）等が挙げられる。
【００５５】
アポタンパクとしては、例えば、アポＡ−Ｉ、アポＡ−ＩＩ、アポＢ、アポＣ−ＩＩ、アポＣ−ＩＩＩ、アポＥ等が挙げられる。
【００５６】
ウイルス抗原としては、例えば、Ｂ型肝炎ウイルス（ＨＢＶ）関連抗原、Ｃ型肝炎ウイルス（ＨＶＣ）関連抗原、ＨＴＬＶ−１、ＨＩＶ関連抗原、狂犬病ウイルス、インフルエンザウイルス、風疹ウイルス等が挙げられる。
【００５７】
ＨＶＣ関連抗原としては、例えば、ＨＣＶｃ１００−３リコビナント抗原、ｐＨＣＶ−３１リコビナント抗原ｐＨＣＶ−３４リコビナント抗原等が挙げられ、これらの混合物を対象とすることもできる。
【００５８】
ＨＩＶ関連抗原としては、ウイルス表面抗原等が挙げられ、例えば、ＨＩＶ−Ｉ  ｅｎｖ．ｇｐ４１リコビナント抗原、ＨＩＶ−Ｉ  ｅｎｖ．ｇｐ１２０リコビナント抗原、ＨＩＶ−Ｉ  ｅｎｖ．ｐ２４リコビナント抗原、ＨＩＶ−ＩＩ  ｅｎｖ．ｐ３６リコビナント抗原等が挙げられる。
【００５９】
またウイルス以外の感染症としては、ＭＲＳＡ（メチシリン耐性黄色ブドウ球菌）、ＡＳＯ（抗ストレプトリジンＯ抗体）、トキソプラズマ、マイコプラズマ、ＳＴＤ等が挙げられる。
【００６０】
自己抗体としては、例えば、抗マイクロゾーム抗体、抗サイログロブリン抗体、抗核抗体、リュウマチ因子、抗ミトコンドリア抗体、ミエリン抗体等が挙げられる。
【００６１】
ホルモンとしては、例えば、下垂体ホルモン（ＬＨ、ＦＳＨ、ＧＨ、ＡＣＴＨ、ＴＳＨ、プロラクチン）、甲状腺ホルモン（Ｔ３、Ｔ４、サイログロブリン）、カルシトニン、副甲状腺ホルモン（ＰＴＨ）、副腎皮質ホルモン（アルドステロン、コルチゾール）、性腺ホルモン（ｈＣＧ、エストロゲン、テストステロン、ｈＰＬ）、膵・消化管ホルモン（インスリン、Ｃ−ペプチド、グルカゴン、ガストリン）、その他（レニン、アンジオテンシンＩ，ＩＩ、エンケファリン、エリスロポエチン）等が挙げられる。
【００６２】
心疾患マーカーとしては、例えば、クレアチニンキナーゼ（ＣＫ）、ＣＫのアイソザイムであるＣＫ−ＭＢ、ミオグロビン、心臓型脂肪酸結合蛋白（Ｈ−ＦＡＢＰ）、ミオシン軽鎖（ＭＬＣ）、心筋トロポニンＴ（ＴｎＴ）、心筋トロポニンＩ（ＴｎＩ）、心房性ナトリウム利尿ペプチド（ＡＮＰ）、脳性ナトリウム利尿ペプチド（ＢＮＰ）等が挙げられる。
【００６３】
ウイルス、微生物としては、疾患としてエボラ出血熱、クリミア・コンゴ出血熱、痘瘡、南米出血熱、ペスト、マールブルグ病、ラッサ熱、急性灰白髄炎、結核、ジフテリア、重傷急性呼吸器症候群、鳥インフルエンザ、コレラ、細菌性赤痢、腸管出血性大腸菌感染症、腸チフス、バラチフス、Ｅ型肝炎、ウエストナイル熱、Ａ型肝炎、エキノコックス症、黄熱、オウム病、オムスク出血熱、回帰熱、キャサナル森林病、Ｑ熱、狂犬病、コクシジオイデス症、サル痘、重症熱性血小板減少症候群、腎症候性出血熱、西部ウマ脳炎、ダニ媒介脳炎、炭素症、チクングニア熱、つつが虫病、デング熱、東部ウマ脳炎、ニパウイルス感染症、日本紅斑熱、猩紅熱、日本脳炎、ハンタウイルス感染症、Ｂウイルス病、鼻疽、ブルセラ症、ベネゼエラウマ脳炎、ヘンドラウイルス感染症、発疹チフス、ボツリヌス症、マラリア、野兎病、ライム熱、リッサウイルス感染症、リフトバレー熱、類鼻疽、レジオネラ症、レプトスピラ症、ロッキー山紅斑病、アメーバ赤痢、ウイルス性肝炎、カルバペネム耐性腸内細菌科細菌感染症、急性脳炎、クリプトコックス症、クロイツフェルト・ヤコブ病、劇症型溶血性連鎖球菌感染症、破傷風、バンコマイシン耐性黄色ブドウ球菌感染症、バンコマイシン耐性腸球菌感染症、風疹、麻疹、新型インフルエンザ、ＲＦウイルス感染症、咽頭結膜熱、Ａ群溶血性レンサ球菌咽頭炎、感染性胃腸炎、手足口病、突発性発疹、百日咳、ヘルパンギーナ、流行性耳下腺炎、急性出血性結膜炎、流行性角結膜炎、クラミジア肺炎、細菌性髄膜炎、マイコプラズマ肺炎、無菌性髄膜炎、クラミジア感染症、ヘルペスウイルス感染症、尖圭コンジローマ、淋菌感染症、薬剤耐性肺炎球菌感染症、薬剤耐性黄色ブドウ球菌感染症、薬剤耐性緑膿菌感染症、中東呼吸器症候群、敗血症、真菌症、原虫感染症などを引き起こし、人体に影響を及ぼすものを示す。
【００６４】
以下、本実施形態における回収方法について説明する。
【００６５】
本発明の回収方法は、上記の回収シート１０を用いた回収方法であって、図３に示すように、封止工程Ｓ０１と、注液工程Ｓ０２と、降液工程Ｓ０３と、消毒工程Ｓ０４と、吸収工程Ｓ０５と、固体回収工程Ｓ０６と、を有する。
【００６６】
本発明の回収方法は、上述した回収対象物Ｇを回収するために、まず、床面Ｆにまき散らされている固体、液体またはその混合物とされる回収対象物Ｇに対して、図３に示す封止工程Ｓ０１として、図４に示すように、回収対象物Ｇに回収シート１０を被せて封止する。これにより、回収対象物Ｇが外部に飛散してしまう可能性を低減して、バイオハザードを含む可能性のある回収対象物Ｇに対する処理安全性を高めて回収処理を開始することができる。
【００６７】
また、この封止工程Ｓ０１において、回収対象物Ｇに含まれる液体成分は、対物層１３および吸水層１１が毛細管現象を呈する構成とされているため、対物層１３を介して吸水層１１に到達して、この吸水層１１で吸収される。これにより、床面Ｆに残る液体成分量を減少させることができる。
【００６８】
次いで、封止工程Ｓ０１後に、図３に示す注液工程Ｓ０２として、回収対象物Ｇ回収シート１０に、所定の成分を含有する溶液（液）Ｄを注ぐ。
注液工程Ｓ０２における溶液とは、回収対象物Ｇに含有されるウイルス等を殺菌・消毒するものとされる。
【００６９】
溶液Ｄとしては、アルコール類、次亜塩素酸ナトリウム、塩化ベンザルコニウム、アルキルリン酸ベンザルコニウム等のベンザルコニウム塩、塩化ベンゼトニウム、トリクロサン、イソプロピルメチルフェノール、塩化セチルピリジニウム、塩化クロルヘキシジン、過酸化水素、ポドピンヨード、ヨードチンキ、のいずれか１以上の成分を含み、溶媒として、吸水層１１と封止層１２とを溶解させないもので、回収対象物Ｇに存在するウイルス、細菌等の微生物や細胞の機能を不活化させるものとされる。
【００７０】
注液工程Ｓ０２において回収シート１０上に注がれた溶液Ｄは、図３に示す降液工程Ｓ０３として、封止層１２が防水性を有しているために、図４に示すように、貫通孔１４内部を通って、回収シート１０の裏面側に位置する回収対象物Ｇに到達する。
これにより、貫通孔１４が存在するために、回収シート１０を剥離して回収対象物Ｇを開放状態とすることなく、消毒液等とされる溶液Ｄを回収対象物Ｇに到達させることができる。
【００７１】
降液工程Ｓ０３において、回収シート１０の裏面側まで到達した溶液Ｄは、図３に示す消毒工程Ｓ０４として、床面Ｆに残っている回収対象物Ｇと混ざることで、この残渣として床面Ｆの回収対象物Ｇに存在するウイルス、細菌等の微生物や細胞の機能が不活化される。また、溶液Ｄに溶解可能な固体成分は溶液Ｄに溶解されて、同様にウイルス、細菌等の微生物や細胞の機能が不活化される。
【００７２】
消毒工程Ｓ０４において、不活化された液体成分は、図３に示す吸収工程Ｓ０５として、対物層１３および吸水層１１が毛細管現象を呈する構成とされているため、対物層１３を介して吸水層１１に到達して、この吸水層１１で吸収される。これにより、床面Ｆには固体成分のみが残ることになる。
【００７３】
吸収工程Ｓ０５において、床面Ｆに残された回収対象物Ｇの固体成分は、図３に示す固体回収工程Ｓ０６として、回収シート１０によって上面から回収対象物Ｇの固体成分を包み込むことによって、回収対象物Ｇの固体成分を回収シート１０で回収可能に収容することができる。
このとき、封止層１２が防水性を有しているため、回収対象物Ｇが回収シート１０から染み出してくることがなく、回収対象物Ｇに接触することなく回収することが可能となる。同時に、床面Ｆは既に、消毒工程Ｓ０４において消毒されて不活化されているため、通常の清拭等で仕上げ処理をおこなうことができる。
【００７４】
本実施形態においては、封止工程Ｓ０１として、回収シート１０を回収対象物Ｇに被せることによって、回収対象物Ｇを覆うことができ、開放的な状態を封止することが可能となる。回収シート１０を回収対象物Ｇに被せると同時に、回収対象物Ｇの液体成分を吸水層１１によって吸収することが可能となる。
封止層１２が防水性を有していることにより、液体成分を吸水層１１で吸収した後にシート表面に染み出ることがなく、回収対象物Ｇの液体成分との直接的な接触を抑制することが可能となる。これにより、回収作業におけるさらなる回収対象物Ｇの拡散を防止することができ、回収対象物Ｇの封止をおこなうことができる。
【００７５】
さらに、貫通孔１４が回収シート１０表面から裏面側まで貫通していることにより、回収対象物Ｇを封止した状態で、回収シート１０を捲るなど移動することなく、注液工程Ｓ０２において溶液を滴下するだけで、回収対象物Ｇのある回収シート１０の裏面側に到達させることができる。さらに、回収シート１０の裏面側に到達した溶液Ｄは、床面Ｆに到達して、床面Ｆと回収対象物Ｇの固体成分と接触してこれらを殺菌・消毒・洗浄し、殺菌・消毒・洗浄後の液体成分を、対物層１３を介して吸水層１１で吸収することができる。
【００７６】
これにより、回収対象物Ｇの固体成分のみを回収シート１０で持ちあげることが容易になり、回収対象物Ｇに直接接触することなく、回収対象物Ｇの封止・洗浄・回収をおこなうことができる。
【００７７】
本実施形態においては、床面Ｆに存在する回収対象物Ｇに対して回収シート１０を用いることによって、回収対象物Ｇに直接接触することなく、回収対象物Ｇの封止・洗浄・回収をおこなうことができる。
【００７８】
なお、本実施形態においては、貫通孔１４の平面配置は特に限定されないが、図５に示すように、貫通孔１４の配置される矩形の注液領域１４Ａを設け、回収シート１０の周縁部側には、貫通孔１４の配置されない、回収処理領域１２Ａを設けることもできる。
【００７９】
さらに、図６に示すように、貫通孔１４の配置される円形の注液領域１４Ａを設け、回収シート１０の周縁部側には、貫通孔１４の配置されない、回収処理領域１２Ａを設けることもできる。
【００８０】
これらの場合、回収処理領域１２Ａは、回収対象物Ｇの固体成分回収時の作業用にもちいることができる。また、回収処理領域１２Ａの部分には、吸水層１１を設けないことも可能である。
【００８１】
さらに、本実施形態においては、貫通孔１４の内部に封止内層１２ａを設けない構成も可能である。この場合、貫通孔１４内部には、吸水層１１が露出しているが、下側（対物層１３側）の吸水層１１から吸収することができるため、充分な作用効果を生じることができる。
【００８２】
以下、本発明に係る回収シート、回収方法の第２実施形態を、図面に基づいて説明する。
【００８３】
図７は、本実施形態における回収シート１０を示す断面図であり、図８は、本実施形態における回収方法を示すフローチャートである。
本実施形態において上述した第１実施形態と異なるのは溶解層に関する点であり、これ以外の対応する構成要素に関しては、同一の符号を付してその説明を省略する。
【００８４】
本実施形態においては、図７に示すように、回収シート１０の表面側に貫通孔１４を閉塞する溶解層１５が設けられている。
溶解層１５は、図７に示すように、貫通孔１４を閉塞するように封止層１２の表面全体に設けられる。
【００８５】
溶解層１５は、所定の溶液（液体）Ｄと接触した際に溶解可能な材質からなり、例えば、パラフィン、ワセリン、蜜蝋、セレシンワックス、オゾケライト、マイクロクリスタリンワックス、モンタンワックス、ポリエチレンワックス等油性化合物からなるものとされる。上記溶解可能な材質一種以上のみでシート状を形成すること、もしくはシート状で所定の溶液Ｄで不溶な材質による網目構造を取り、上記溶解可能な材質を保持し、溶解層とすることもできる。この時の網目の大きさは２５平方ｍｍ以上が好ましい。
【００８６】
ここで、溶解層１５を溶解するための液体としては、両親媒性化合物である界面活性剤を適用することができ、例えば、コール酸ナトリウム、デオキシコール酸ナトリウム、ラウリル硫酸ナトリウム、スクロースモノコレート、β-D-フラクトピラノシル-α-D-グルコピラノシドモノドデカノエート、β-D-フラクトピラノシル-α-D-グルコピラノシドモノデカノエート、n-オクタノイル-N-メチルグルカミド、 n-ノナノイル-N -メチルグルカミド、n-デカノイル-N-メチルグルカミド、n-オクチル-β-D-チオグルコピラノシド、n-オクチル-β-D-マルトピラノシド、n-オクチル-β-D-グルコピラノシド、n-ノニル-β-D-チオマルトピラノシド、n-ドデシル-β-D-マルトピラノシド、n-デシル-β-D-マルトピラノシド、N,N-ビス(3-D-グルコンアミドプロピル)コラミド、N,N-ビス(3-D-グルコンアミドプロピル) デオキシコラミド、3-[(3-コラミドプロピル)ジメチルアンモニオ]プロパンスルホン酸、3-[(3-コラミドプロピル)ジメチルアンモニオ]-2-ヒドロキシプロパンスルホン酸とすることができる。また、所定の溶液（液体）Ｄは上記界面活性材を含み、かつ殺菌剤も含んだ混合液とすることもできる。
【００８７】
本実施形態においては、回収方法として、図８に示すように、注液工程Ｓ０２の後に、閉塞解除工程Ｓ０７を有することになる。
図８に示す閉塞解除工程Ｓ０７においては、注液工程Ｓ０２で滴下された溶液Ｄによって、溶解層１５が溶解して、貫通孔１４の閉塞が解除されて、降液工程Ｓ０３として、溶液Ｄが回収シート１０裏面に移動できる。
【００８８】
さらに、本実施形態においては、封止工程Ｓ０１において、図７に示すように、貫通孔１４が溶解層１５によって閉塞されているため、回収対象物Ｇが当接するように回収シート１０を回収対象物Ｇに被覆して封止する封止工程Ｓ０１では、回収対象物Ｇが、貫通孔１４を介して回収シート１０表面側に移動してしまうことを防止でき、回収対象物Ｇの貫通孔１４を介した拡散を防止することができる。
【００８９】
さらに、注液工程Ｓ０２として溶液を注ぎかけた後に、閉塞解除工程Ｓ０７として、回収シート１０表面側から貫通孔１４を介した裏面側への溶液（消毒液）の移動を容易にすることができる。
【００９０】
本実施形態においては、封止層１２表面に設ける殺菌・消毒する成分を有する部分として、溶解層１５を、殺菌・消毒する成分が含有されたものとすることができる。
注液工程Ｓ０２として、水のみもしくは溶解層を溶解する所定の溶液を注ぐことで、含有成分が溶解して貫通孔１４を流下し、回収シート１０表側から消毒液を添加した場合と同等の作用効果を呈することができる。これにより、消毒液の準備をする作業を省略でき、一連の作業を短時間に効率的におこなうことができる。殺菌薬の含有に関しては、溶解層の材質内に殺菌薬や殺菌薬内包キャリアを含み、溶解層１５の溶解とともに溶液に懸濁され、殺菌薬として利用することも可能である。
【００９１】
また、殺菌・消毒する成分を有する部分を、封止層１２の表面に設けることもできる。この場合、封止層１２の表面に加えて、貫通孔１４内部の封止内層１２ａ表面に設けることもできる。なお、殺菌・消毒する成分を有する部分を、封止層１２の表面に設ける場合には、殺菌・消毒する成分を有する部分を塗布乾燥等の手段で固着させること、封止層１２表面として高分子ミセル化合物などキャリアに内包されたものを採用することも可能である。
【００９２】
殺菌・消毒成分を有する封止層１２および／または溶解層１５に関しては、さらに、あらかじめ固着された殺菌薬と溶液Ｄに含まれた殺菌薬とを併用することもできる。
【００９３】
以下、本発明に係る回収シート、回収方法の第３実施形態を、図面に基づいて説明する。
【００９４】
図９は、本実施形態における回収シート１０を示す断面図であり、図１０は、本実施形態における回収シートを示す平面図であり、図１１は、本実施形態における回収方法を示すフローチャートである。
本実施形態において上述した第１および第２実施形態と異なるのは接触防止層に関する点であり、これ以外の対応する構成要素に関しては、同一の符号を付してその説明を省略する。
【００９５】
本実施形態においては、図９，図１０に示すように、回収シート１０の表面側に接触防止層１６が設けられている。
接触防止層１６は、回収シート１０の最表面に、回収対象物Ｇとの接触を防止するために設けられ、例えば、その縁部で封止層１２の縁部と接続されていることができる。接触防止層１６は、図１０に示すように、封止層１１より平面視しておおきな面積となるようにも設定することができる。
【００９６】
本実施形態においては、回収方法として、図１１に示すように、封止工程Ｓ０１の後に、接触防止層剥離工程Ｓ０８を有することになる。
図１１に示す接触防止層剥離工程Ｓ０８においては、接触防止層１６を封止層１２表面から剥離して、貫通孔１４の設けられた領域を露出して、その後、注液工程Ｓ０２として溶液Ｄを滴下する。
【００９７】
また、注液工程Ｓ０２の後に、剥離していた接触防止層１６を封止層１２表面を覆うようにして戻すことができる。これにより、例えば、回収対象物Ｇの量が多く貫通孔１４から液体成分があふれてきた場合などでも、回収対象物Ｇに直接触らずに回収することができる。また、固体回収工程Ｓ０６において、例えば、回収対象物Ｇの量が多く封止層１１の周囲から固体成分があふれてきた場合などでも、回収対象物Ｇに直接触らずに回収することができる。
【００９８】
以下、本発明に係る回収シート、回収方法の第４実施形態を、図面に基づいて説明する。
【００９９】
図１２は、本実施形態における回収シート１０を示す断面図である。
本実施形態において上述した第１〜第３実施形態と異なるのは封止下層１２ｃに関する点であり、これ以外の対応する構成要素に関しては、同一の符号を付してその説明を省略する。
【０１００】
本実施形態においては、図１２に示すように、回収シート１０の裏面側に封止下層（封止層）１２ｃが設けられている。
この封止下層１２ｃは、各貫通孔１４の裏面側端部の周囲にフランジ状に配置され、封止内層１２ａの下端部と密閉を維持するように接続されている。
【０１０１】
これにより、貫通孔１４を流下してきた溶液が床面Ｆ側に到達した際に、床面Ｆ上の回収対象物Ｇに対して殺菌・消毒する作用や、床面Ｆに対する殺菌・消毒する作用をする前に、直接吸水層１１に吸収されてしまうことを防止することができる。これにより、溶液の無駄を低減し、注下する溶液の量を溶液の殺菌・消毒・洗浄に充分な必要量と一致させることができる。
【０１０２】
以下、本発明に係る回収シート、回収方法の第５実施形態を、図面に基づいて説明する。
【０１０３】
図１３は、本実施形態における回収シート１０を示す断面図である。
本実施形態において上述した第１〜第４実施形態と異なるのは対物層１３ａに関する点であり、これ以外の対応する構成要素に関しては、同一の符号を付してその説明を省略する。
【０１０４】
本実施形態においては、図１３に示すように、回収シート１０の裏面全面に対物層１３ａが設けられている。
この対物層１３ａは、前述の各実施形態における対物層１３と同様の材質からなっているが、貫通孔１４に対応する孔が設けられていない。
【０１０５】
これにより、封止工程Ｓ０１において、回収シート１０裏面側に回収対象物Ｇが当接するように回収シート１０を回収対象物Ｇに被覆して封止した際に、回収対象物Ｇが、貫通孔１４を介して回収シート１０表面側に移動して拡散してしまうことを防止できる。
【０１０６】
さらに、注液工程Ｓ０２において、溶液Ｄを注ぎかけた際に、貫通孔１４を流下してきた溶液Ｄは、浸透性を有する対物層１３ａから床面Ｆ側に到達し、床面Ｆおよび回収対象物Ｇに対して殺菌・消毒・洗浄する作用を呈することができる。
【０１０７】
また、注液工程Ｓ０２の後工程においても、対物層１３ａから回収対象物Ｇが貫通孔１４を逆流して回収シート１０表面側に到達し拡散する可能性を低減することができる。
【０１０８】
以下、本発明に係る回収シート、回収方法の第６実施形態を、図面に基づいて説明する。
【０１０９】
図１４は、本実施形態における回収シート１０を示す断面図、図１５は、その拡大断面図である。
本実施形態において上述した第１〜第４実施形態と異なるのは吸水層および貫通孔に関する点であり、これ以外の対応する構成要素に関しては、同一の符号を付してその説明を省略する。
【０１１０】
本実施形態においては、図１４に示すように、厚さ方向に二層に分離された吸水層１１ａおよび吸水層１１ｂからなるとともに、吸水層１１ａと、吸水層１１ｂと、対物層１３との積層位置が、回収シート１０主面の面内方向で同じ方向にずれた状態で積層されている。
【０１１１】
これにより、貫通孔１４が、各吸水層１１ａと、吸水層１１ｂと、対物層１３とで中心位置がずれていることにより、貫通孔１４の中心軸線が回収シート１０の主面における法線方向から傾斜した方向になるように配置される。つまり、各吸水層１１ａと、吸水層１１ｂと、対物層１３とでのずれ位置は、貫通孔１４の径寸法よりも小さくなるように設定されている。
【０１１２】
ここで、貫通孔１４の内部には、封止内層１２ａが設けられるとともに、対物層１３で覆われていない吸水層１１ａの裏面側には、封止下層１２ｃが設けられており、これらにより、貫通孔１４内部は防水されている。
【０１１３】
このように、貫通孔１４が傾斜されていることにより、封止工程Ｓ０１において、回収シート１０裏面側に回収対象物Ｇが当接するように回収シート１０を回収対象物Ｇに被覆して封止した際に、回収対象物Ｇが、貫通孔１４を介して回収シート１０表面側に移動して拡散してしまうことを防止できる。
【０１１４】
さらに、注液工程Ｓ０２において、溶液Ｄを注ぎかけた際に、貫通孔１４を流下してきた溶液Ｄは、床面Ｆに到達し、床面Ｆおよび回収対象物Ｇに対して殺菌・消毒・洗浄する作用を呈することができる。
また、注液工程Ｓ０２の後工程においても、対物層１３から回収対象物Ｇが貫通孔１４を逆流して回収シート１０表面側に到達し拡散する可能性を低減することができる。
【０１１５】
本実施形態では、図１５に示すように、回収シート１０の最上面側にある封止層１２における貫通孔の中心位置１４ｍと、回収シート１０の最下面側にある対物層１３における貫通孔の中心位置１４ｎとが平面視して離間した状態に設定されており、中心位置１４ｍと中心位置１４ｎとの離間距離１４ｒが貫通孔１４の径寸法１４Ｒ以上となるよう設定されている。
【０１１６】
さらに、一層もしくは二層以上とされる複数層からなる吸水層において、その軸線がシート法線方向から傾いて設けることもできる。このとき、平面視した封止層における貫通孔１４のｍ中心位置と、対物層１３における貫通孔１４の中心位置１４ｎとを、貫通孔１４の径寸法１４Ｒの１倍以上離間するように設定することが好ましい。
【０１１７】
これにより、吸水層における貫通孔１４の軸線方向が回収シート１０の主面における法線方向と一致しない方向に傾斜しているため、封止工程Ｓ０１等の工程において、回収シート１０における貫通孔１４を介した回収対象物Ｇの逆流などの開放状態を防ぐことができる。
【符号の説明】
【０１１８】
１０…回収シート
１１，１１ａ，１１ｂ…吸水層
１２…封止層
１２ａ…封止内層（封止層）
１２ｂ…封止外層（封止層）
１２ｃ…封止下層（封止層）
１２Ａ…回収処理領域
１３，１３ａ…対物層
１４…貫通孔
１４Ａ…注液領域
１５…溶解層
１６…接触防止層
Ｄ…溶液
Ｇ…回収対象物
【図１】
2016140858.tif 000003
【図２】
2016140858.tif 000004
【図３】
2016140858.tif 000005
【図４】
2016140858.tif 000006
【図５】
2016140858.tif 000007
【図６】
2016140858.tif 000008
【図７】
2016140858.tif 000009
【図８】
2016140858.tif 000010
【図９】
2016140858.tif 000011
【図１０】
2016140858.tif 000012
【図１１】
2016140858.tif 000013
【図１２】
2016140858.tif 000014
【図１３】
2016140858.tif 000015
【図１４】
2016140858.tif 000016
【図１５】
2016140858.tif 000017